(57)【特許請求の範囲】
【請求項１】
新聞印刷用原紙に、(i)窒素含量が0.1重量%以上のカチオン澱粉、(ii)炭酸ジルコニウム塩、並びに(iii) a)スチレン系不飽和単量体と、b)カチオン性単量体、c)カチオン性界面活性剤及びd)カチオン性重合開始剤のいずれか少なくとも１つと、から重合されたカチオン性ポリスチレン粒子、を含有する塗工層を設けたことを特徴とするオフセット印刷用新聞用紙。
【請求項２】
前記カチオン澱粉が、50℃、15％水溶液として測定したB型粘度が20〜100ｃｐｓとなるように澱粉を化学変性後、続いて窒素含有量が0.1重量％以上になる様にカチオン変性したものであることを特徴とする請求項１に記載のオフセット印刷用新聞用紙。
【請求項３】
前記塗工層においてカチオン澱粉、炭酸ジルコニウム塩、カチオン性ポリスチレン粒子の3者の比率が、100：5〜15：5〜40であることを特徴とする請求項１又は２いずれかに記載のオフセット印刷用新聞用紙。
【請求項４】
前記カチオン性ポリスチレン粒子が、スチレン系不飽和単量体(a)が70〜95重量％、カチオン性単量体(b)0〜30重量％、カチオン性界面活性剤(c)1〜30重量％、カチオン性重合開始剤(d) 0〜5重量％の重量比で合成されたものであることを特徴とする請求項１、２又は３いずれかに記載のオフセット印刷用新聞用紙。
【請求項５】
前記塗工層の塗工量の合計が乾燥固形分換算で両面0.2〜1.2ｇ／m2であることを特徴とする請求項1、２、３又は４いずれかに記載のオフセット印刷用新聞用紙。
【発明の詳細な説明】
【０００１】
【産業上の利用分野】
本発明は低坪量の新聞用紙をオフセット印刷する場合に、印刷作業性を損なわないように用紙のこわさを向上させ、吸水性を低下させ湿し水断紙を防ぐためにサイズ性を付与するとともに、ネッパリトラブルのないオフセット印刷用新聞用紙を提供しようとするものである。
【０００２】
【従来の技術】
巻取の径が同じでも連量が増やせるために作業の効率化が図れること、一部当たり重量を減少させるために作業の効率化が図れること、1部当たりの重量を変えることなくぺージ数を増やすことができるので新聞配達時の負担を増さないことから、新聞用紙の需要は軽量化の方向に進んでいる。しかし、軽量化の進展には、短時間でおこなわれる新聞印刷に支障をきたさない様なオフセット輪転印刷機への高い適応性、特に、紙のこわさの低下による印刷時のしわの発生が問題視されている。
【０００３】
オフセット新聞用紙として適切な紙物性をもつように紙層構造の面からの改良を図った例として、特開平3-227500号公報、特開平4-361686号公報が挙げられる。しかし、これらはパルプ原料、製造装置などの面で制限を受け、現在使用されている設備やパルプで実行できるものではない。一方、表面処理剤によるオフセット印刷新聞用紙の品質の改善技術としては、一般的には酸化澱粉が塗工されているが、紙のこわさを向上させるために塗布量を増加させるとブランケットに新聞用紙が取られるネッパリが発生する。また、特開平7-243192号公報に澱粉を酵素変性した後にカチオン化したカチオン澱粉を塗工する技術が開示されているが、これらは表面強度や浮き汚れ、地汚れなどの版汚れに関するもので、紙のこわさに関して記述はなく、吸水性をカチオン澱粉の塗布だけでは低下させることはできない。新聞用紙以外の紙で外添薬品により紙のこわさを向上させる技術としては、特開平59-130398号公報に水ガラスと高分子エマルジョンまたはラテックスを特定配合する方法、特開平60-155799号公報にポリビニルアルコール系樹脂でサイズされた紙に電子線や放射線を照射する方法、特開平60-173197号公報にポリビニルアルコール系重合体成分とポリアクリルアミド系重合体成分を混合する方法、特開平60-252800号公報にポリビニルアルコール系重合体存在下に、アクリルアミド系モノマーを特定重量比で配合して得た重合体による方法、特開平1-156597号公報にアセト酢酸エステル基含有ポリビニルアルコール系樹脂とジルコニウム塩とを含む水溶液による方法、特開平6-65893号公報に(メタ)アクリルアミド、α,β−不飽和カルボン酸、N,N-ジメチル（メタ）アクリルアミド、N-メチロール（メタ）アクリルアミド、N-メチロール(メタ)アクリルアミド1モル当たり0.3〜1モルのエチレン尿素、を重合成分とした水溶性共重合体による方法、特開平6-65894号公報に(メタ)アクリルアミド、α,β−不飽和カルボン酸、N,N-ジメチル（メタ）アクリルアミド、N-メチロール（メタ）アクリルアミド、N-メチロール(メタ)アクリルアミド１モル当たり0.3〜1モルのジシアンジアミド、を重合成分とした水溶性共重合体による方法、特開平7-23890号公報にアルキルビニルエーテルと無水マレイン酸共重合体による方法、特開平8-100388号公報にはポリアミドエピクロロヒドリンやグリオキザールまたはメラニンホルマリン樹脂からなる耐水化剤とポリビニルアルコール、澱粉、ポリアクリルアミドやカルボキシメチルセルロース等の水溶性樹脂を塗布する方法が開示されている。
【０００４】
【発明が解決しようとする課題】
しかしながら、いずれの方法も高価であり、新聞用紙の表面処理剤としては不適切である。澱粉、ポリビニルアルコール等の表面処理剤を多量に塗布すると、その表面処理剤が水で湿潤された状態では粘着性を示すため、新聞印刷用紙の製造時、あるいは印刷時に、粘着性に起因するトラブル（いわゆる「ネッパリ」と呼ばれる現象）を起こす問題があった。このため、印刷時に湿し水を使用するオフセット印刷用新聞用紙に用いる表面処理剤は、表面強度向上効果のみならず、塗工品の粘着性が低いこと、言い換えれば、塗工品の剥離性が良好であることが必須の性能となっている。
【０００５】
また、新聞用紙をオフセット印刷する場合に吸水性が高い場合には、湿し水断紙が発生するので新聞用紙にサイズ性を付与する必要があり、サイズ剤を内添あるいは表面処理剤として外添する必要がある。一般的な外添サイズ剤は、繊維間の水素結合を阻害するので、サイズ剤を外添した場合には、外添していない場合と比較して紙力やこわさが低下する傾向にある、通常のサイズ剤ではサイズ性と紙力やこわさを同時に向上させるのは困難である。
【０００６】
紙のこわさは、紙が均質な材料で構成されていると仮定すると材料力学的に見て、紙厚の3乗に比例するから、新聞用紙の軽量化に伴いこわさは急激に低下する。このような現状から、軽量であって、所定のこわさを有し、ネッパリの発生しない（剥離強度の低い）、サイズ性の高いオフセット印刷用新聞用紙を提供することが切望されていた。
【０００７】
【課題を解決するための手段】
上記課題は、窒素含量が0.1重量%以上のカチオン澱粉、炭酸ジルコニウム塩、及び特定のカチオン性ポリスチレン粒子を含有する塗工層を新聞印刷用紙原紙上に設けることによって解決された。
【０００８】
【発明の実施の形態】
本発明で使用するカチオン澱粉は窒素含有量が0.1重量％以上であることを特徴とする。特に、澱粉を化学変性により低粘度化し50℃、15％水溶液として測定したB型粘度が20〜100ｃｐｓとなるように変性した後に、窒素含有量が0.1重量％以上になる様にカチオン変性した澱粉を使用することが好ましい。
【０００９】
澱粉を酵素変性した場合は、澱粉中の結晶領域をアモルファス領域に変化することができないために、カチオン基の導入が不均一になり、紙表面に定着しづらい欠点がある。しかし、澱粉を酸処理あるいは酸化処理のような化学変性することにより、低粘度化及びカルボキシル基の導入、更に結晶領域をアモルファス領域に変化させることにより、その後のカチオン変性でカチオン基を均質に導入することが可能となる。
【００１０】
本発明で生澱粉を化学変性する場合は、次亜塩素酸、過硫酸アンモニウム、過ヨウ素酸などの一般的な酸化剤が使用される。
【００１１】
本発明で化学変性された澱粉をカチオン変性する場合には、製紙業界で一般的に使用されている澱粉分子の水酸基を３級アミノ基または第４級アミノ基を有する化合物でエーテル化して得られるものであり、下記の化合物が使用される。
【００１２】
【化１】
0004031576.tif 000002
【化２】
0004031576.tif 000003
ただし、化1、化2においてＡは、下記の式１、式２又は式３：
【００１３】
【式１】
0004031576.tif 000004
【００１４】
【式２】
0004031576.tif 000005
【００１５】
【式３】
0004031576.tif 000006
であり、ただし、上記化１、化２においてＸはハロゲン原子団を表し、Ｒ１、Ｒ２及びＲ３は各々炭素数１〜４のアルキル基を表し、ｎは１〜３の整数を表す。
【００１６】
本発明で使用する炭酸ジルコニウム塩は、炭酸ジルコニウムアンモニウムや炭酸ジルコニウムナトリウム、炭酸ジルコニウムカリウム等の一般的なものである。炭酸ジルコニウム塩を混合することで、理由は不明であるがスチレン系サイズ剤の効果が著しく向上する。更に、不透明度の低下を抑えることができる。
【００１７】
本発明で使用するカチオン性ポリスチレン粒子は、スチレン系不飽和単量体を乳化重合する際に使用する乳化剤としてカチオン性界面活性剤を使用したもの、スチレン系不飽和単量体を乳化重合する際にカチオン性重合開始剤を使用したもの、カチオン性単量体とスチレン不飽和単量体の溶液重合や塊状重合で合成した共重合体など、全てのカチオン性ポリスチレン粒子である。
【００１８】
すなわち、下記のa)と、ｂ） 〜d)のいずれか少なくとも１つとから重合されたものである。
【００１９】
a)スチレン系不飽和単量体、
b)カチオン性単量体、
c) カチオン性界面活性剤、
d)カチオン性重合開始剤、
また、(a)が70〜95重量％、(b)0〜30重量％、(c)1〜30重量％、(d) 0〜5重量％の重量比で合成されたものが好ましい。
【００２０】
本発明で使用するスチレン系不飽和単量体の例としては、スチレン、メチルスチレン、クロロスチレン等が挙げられる。
【００２１】
本発明で使用するカチオン性単量体は、メタクリルアミノプロピルトリメチルアンモニウムクロリド、ジアリルジメチルアンモニウムクロリド、アクリロキシエチルトリエチルアンモニウムクロリドなどのラジカル重合が可能なカチオン性単量体から少なくとも１つ選ばれたものが好ましい。
【００２２】
本発明で使用するカチオン性界面活性剤としては、セチルメチルアンモニウムブロミド、ドデシルトリメチルアンモニウムブロミド、ミストリルトリメチルアンモニウムブロミド、ビニルベンジルトリメチルアンモニウムクロリド、ビニルベンジルジメチルドデシルアンモニウム、あるいは、カチオン性ポリスチレン系界面活性剤、カチオン澱粉、カチオンポリアクリルアミドなどの界面活性のあるカチオン性高分子など、カチオン性界面活性剤から少なくとも１つ選ばれたものである。カチオン性界面活性剤としては、重合可能な界面活性剤を使用することも可能であり、この場合にはカチオン性界面活性剤とカチオン性単量体の両方の役割を果たす。
【００２３】
本発明で使用するカチオン性重合開始剤としては、2,2'-アゾビス（2-アミジノプロパン）ジヒドロクロライド、2,2'-アゾビス（N,N'-ジメチレン-イソブチルアミヂン）ジヒドロクロライド、2,2'-アゾビス（2-メチルプロピオンアミヂン）ジヒドロクロライド、2-2'-アゾビス（イソブチルニトリル）ジヒドロクロライドなどの全てのラジカル重合が可能なカチオン性重合開始剤を使用できる。
【００２４】
このカチオン性ポリスチレンの粒子径は300ｎｍ以上であることが好ましい。このように比較的粒径を大きくすることによって、紙の表面にカチオン性ポリスチレン粒子が留まり、さらに炭酸ジルコニウム塩と架橋することによってこわさ、表面強度を向上させ、さらに剥離強度を低下させることが可能となる。
【００２５】
この様な、カチオン澱粉と炭酸ジルコニウム塩とカチオン性ポリスチレン粒子を任意の比率で混合して塗料とするが、好ましくは、炭酸ジルコニウムがカチオン澱粉に対して5〜15重量％の比率、カチオン性ポリスチレン粒子がカチオン澱粉に対して5〜40重量％であることが望ましい。
【００２６】
本発明の塗工層の塗布量は両面の合計の乾燥固形分で0.2ｇ／m2〜1.2ｇ／m2であることが好ましい。0.2ｇ／m2未満では期待したこわさやサイズ性を得ることができない。1.2ｇ／m2を超えると、サイズ性はさらに向上するが、こわさの向上は頭打ちになる。この範囲であればネッパリトラブルもなく、こわさとサイズ性は同時に向上させることが可能となる。
【００２７】
【作用】
カチオン澱粉と300nm以上という大きな粒径のポリスチレン粒子と炭酸ジルコニウム塩を含有する本発明の表面処理剤を、原紙に塗布すると、乾燥と共に架橋し形成されるフィルムは、通常の澱粉サイズ剤等に比べ紙層内部に浸透することが少なく、原紙の極表面に留まるため少量で吸水性を低下させることができると共に、固い皮膜が紙のこわさを維持し、より紙表面に留まりやすいポリスチレン粒子が表出してネッパリを効果的に防止することができるものと思われる。
【００２８】
【実施例】
以下の、実施例にて本発明を詳細に説明するが、本発明はこれらに限定されるものではない。
【００２９】
[合成例１]  カチオン澱粉の製造
澱粉原料としてタピオカ澱粉を使用し、過硫酸アンモニウムで低粘度化した後に、[化3]に示されるカチオン化剤として3-クロロ-2-ヒドロキシプロピル-トリメチルアンモニウムクロリドにより80℃、90分間のエーテル化反応で窒素含量0.16重量％のカチオン澱粉を作成した。最終的なカチオン澱粉の粘度は、50℃、15％濃度の糊化した水溶液としてB型粘度計で測定して66.4ｃｐｓであった。
【００３０】
【化３】
0004031576.tif 000007
[合成例２]  カチオン性ポリスチレン粒子の製造
カチオン性ポリスチレン粒子は、カチオン性界面活性高分子（商品名：AS233、日本PMC製）を乳化剤として使用し、スチレン（和光純薬製）2,000ｇとカチオン性界面活性高分子AS233を200ｇを混合して、水4,000ｍｌを三つ口フラスコ中で混合し、30分間窒素置換を行い、溶存酸素を除去した後に、重合開始剤2,2'-アゾビス（2-アミジノプロパン）ジヒドロクロライド（商品名：V-50、和光純薬製）を20ｇ添加して乳化重合を行った。反応温度は60℃で反応時間は9時間で重合を行った。合成されたカチオン性ポリスチレン粒子は平均粒径513ｎｍ、ゼータ電位が32.7ｍＶであった。
【００３１】
＜新聞印刷用紙原紙の製造＞
機械パルプ40重量％、脱墨古紙パルプ40重量％、針葉樹晒クラフトパルプ20重量％から成る混合パルプに、硫酸バンド3重量％、ロジン系サイズ剤1重量％、紙力剤0.2重量％、歩留まり向上剤0.005重量％を内添した紙料を、ツインワイヤー抄紙機により抄紙し、坪量40ｇ／ｍ2の新聞印刷用原紙を得た。
【００３２】
＜オフセット新聞印刷用紙の製造＞
[実施例１]
合成例１のカチオン澱粉10重量％、合成例２のカチオン化ポリスチレン粒子1.6重量％、炭酸ジルコニウムアンモニウム0.8重量％から成る水系の塗料を300ｍ／分の速度でゲートロールコーターで上記新聞印刷用紙原紙に両面に塗工し、オフセット新聞印刷用紙を得た。
【００３３】
[実施例２]
合成例１のカチオン澱粉12重量％、合成例２のカチオン化ポリスチレン粒子2.0重量％、炭酸ジルコニウムアンモニウム1.0重量％から成る水系の塗料を300ｍ／分の速度でゲートロールコーターで上記新聞印刷用原紙に塗工し、オフセット新聞印刷用紙を得た。
【００３４】
[比較例１]
水のみを300ｍ／分の速度でゲートロールコーターで上記新聞印刷用原紙に塗工し、オフセット新聞印刷用紙を得た。
【００３５】
[比較例２]
合成例１のカチオン澱粉10重量％から成る水系の塗料を300ｍ／分の速度でゲートロールコーターで上記新聞印刷用原紙に塗工し、オフセット新聞印刷用紙を得た。
【００３６】
[比較例３]
合成例１のカチオン澱粉15重量％から成る水系の塗料を300ｍ／分の速度でゲートロールコーターで上記新聞印刷用原紙に塗工し、オフセット新聞印刷用紙を得た。
【００３７】
[比較例４]
合成例１のカチオン澱粉8重量％、スチレンマレイン酸共重合体表面サイズ剤（商品名：コロパールM160、星光化学製）1.6重量％から成る水系の塗料を300ｍ／分の速度でゲートロールコーターで上記新聞印刷用原紙に塗工し、オフセット新聞印刷用紙を得た。
【００３８】
[比較例５]
合成例１のカチオン澱粉12重量％、比較例４で使用したスチレンマレイン酸共重合体表面サイズ剤2.4重量％から成る水系の塗料を300ｍ／分の速度でゲートロールコーターで上記新聞印刷用原紙に塗工し、オフセット新聞印刷用紙を得た。[比較例６]
合成例１のカチオン澱粉8重量％、炭酸ジルコニウムアンモニウム0.67重量％から成る水系の塗料を300ｍ／分の速度でゲートロールコーターで上記新聞印刷用原紙に塗工し、オフセット新聞印刷用紙を得た。
【００３９】
[比較例７]
合成例１のカチオン澱粉10重量％、炭酸ジルコニウムアンモニウム0.8重量％から成る水系の塗料を300ｍ／分の速度でゲートロールコーターで上記新聞印刷用原紙に塗工し、オフセット新聞印刷用紙を得た。
【００４０】
[比較例８]
合成例１のカチオン澱粉12重量％、合成例２のカチオン性ポリスチレン粒子2.0重量％から成る水系の塗料を300ｍ／分の速度でゲートロールコーターで上記新聞印刷用原紙に塗工し、オフセット新聞印刷用紙を得た。
【００４１】
実施例１〜２、及び比較例１〜８のオフセット新聞印刷用紙について、塗布量、クラーク曲げこわさ、点滴吸水度、剥離強度について評価試験を行った。
【００４２】
塗布量：バイオセンサーBFDP(王子製紙(株)製)で測定した。
【００４３】
クラーク曲げこわさ：JISP 8143-1967に従い、オフセット新聞印刷用紙のマシーン方向について測定した。
【００４４】
点滴吸水度：オフセット新聞印刷用紙のフェルト面側を JAPAN TAPPI No.33に従って測定した。数値が高いほど吸水性は低く、100秒以上であれば十分なサイズ性がある。
【００４５】
剥離強度：オフセット新聞印刷用紙を4×6ｃｍに2枚切り取り、塗工面を温度20℃の水に5秒間浸せき後、塗工面同士を密着させた。外側両面に新聞用紙原紙を重ね、50ｋｇ／ｍ2の圧力でロールに通し、25℃、60 RH％で24時間調湿した。3× 6ｃｍの試料片とした後に、引っ張り試験機で、引っ張り速度30ｍｍ／minの条件で測定を行った。測定値が大きい程、剥がれにくい(逆の言い方をすると粘着性が高い)ことを意味する。本発明のオフセット印刷用新聞用紙では、剥離強度が20.0ｇ／3ｃｍ以下のものを"剥離性が良好である"とした。
【００４６】
実施例及び比較例のオフセット印刷用新聞用紙の評価結果を表１に示す。
【００４７】
【表１】
0004031576.tif 000008